【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
２つの部材の２つの対向面間に形成された隙間の隙間方向に上記２つの部材を相対移動させながら、この隙間に流体補給装置から流体を供給させて、上記隙間を変化させることによる圧力変化を利用して上記流体を間欠吐出すると共に、１ドット当たりの上記流体の吐出量を上記流体補給装置の圧力及び流量特性により調節することを特徴とする流体吐出方法。
【請求項２】
上記流体補給装置の圧力・流量特性は、上記流体補給装置の回転数を変えて設定することを特徴とする請求項１に記載の流体吐出方法。
【請求項３】
上記隙間の最小値或いは平均値をｈ０として、１ドット当たりの上記流体の間欠吐出量が上記隙間ｈ０に対して概略比例関係にある上記隙間ｈ０の設定範囲を０＜ｈ０＜ｈｘとし、間欠吐出量が上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするとき、上記隙間をｈ０＞ｈｘの範囲に設定して間欠吐出することを特徴とする請求項１に記載の流体吐出方法。
【請求項４】
上記２つの部材の２つの対向面間に形成された上記隙間の大きさに逆比例し、かつ上記隙間の時間微分に比例して発生する流体圧力を第１次スクイーズ圧力とし、上記隙間の時間微分に比例し、かつ上記流体補給装置の内部抵抗に比例して発生する流体圧力を第２次スクイーズ圧力とし、上記隙間の最小値或いは平均値をｈ０として、１ドット当たりの流体の間欠吐出量が上記隙間ｈ０に対して概略比例関係にある上記隙間ｈ０の設定範囲を０＜ｈ０＜ｈｘとし、上記間欠吐出量が上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするとき、上記隙間をｈ０＞ｈｘの範囲に設定して上記第２次スクイーズ圧力の作用により間欠吐出することを特徴とする請求項１に記載の流体吐出方法。
【請求項５】
上記２つの部材の２つの対向面間の上記隙間の大きさに逆比例し、かつ上記隙間の時間微分に比例して発生する流体圧力を第１次スクイーズ圧力とし、上記隙間の時間微分に比例し、かつ上記流体補給装置の内部抵抗に比例して発生する流体圧力を第２次スクイーズ圧力とし、上記隙間の最小値或いは平均値をｈ０として、１ドット当たりの間欠吐出量が上記隙間ｈ０に対して概略比例関係にある上記隙間ｈ０の設定範囲を０＜ｈ０＜ｈｘ、間欠吐出量が上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするとき、上記隙間ｈ０をｈ０≒ｈｘ或いは、０＜ｈ０＜ｈｘの範囲に設定して吐出量を調節することを特徴とする請求項１に記載の流体吐出方法。
【請求項６】
ｈｘは、０＜ｈ０＜ｈｘの領域におけるｈ０に対する１ドット当たりの間欠吐出量の曲線の包絡線と、ｈ０＞ｈｘの領域で上記曲線がｈ０に対して概略一定となる部分の値の交点であることを特徴とする請求項３に記載の流体吐出方法。
【請求項７】
独立した軸方向駆動装置によって隙間方向に相対移動する上記２つの部材が複数セット配置されており、１セットの流体補給装置がこれらの２つの部材間に流体を分技して供給することを特徴とする請求項１に記載の流体吐出方法。
【請求項８】
基板の塗布対象面が幾何学的対称であることを利用して、吐出ノズルと基板を相対的に走行させながら、１ドット当りの同一吐出量を同一時間間隔を経て周期的に塗布するように間欠吐出することを特徴とする請求項１に記載の流体吐出方法。
【請求項９】
流体補給装置により隙間方向に相対移動する２つの部材の対向面に流体を供給し、上記対向する２つの対向面間の隙間をｈ（ｍｍ）、このｈの時間微分をｄｈ／ｄｔ、上記２つの部材間の対向面の外周部の平均半径をｒ０（ｍｍ）、上記隙間と外部とを連通する吐出口開口部の平均半径をｒｉ（ｍｍ）、流体の粘性係数をμ（kgsec/mm2）、上記流体補給装置の流体内部抵抗をＲｓ（kgsec/mm5）、上記２つの部材間の対向面の半径方向の流体抵抗をＲｐ（kgsec/mm5）、上記吐出口の流体抵抗をＲｎ（kgsec/mm5）、上記流体補給装置の最大圧力と補給圧力の和をＰｓ０、間欠吐出の周波数をｆ（１／sec）として、第１次スクイーズ圧力Ｐｓｑｕ１、第２次スクイーズ圧力Ｐｓｑｕ２を
【数１】
2004141866.tif 000001
として定義し、上記隙間ｈの時間微分ｄｈ／ｄｔが最大値をもつときの第１次スクイーズ圧力Ｐｓｑｕ１＝Ｐｓｑｕ１０、第２次スクイーズ圧力Ｐｓｑｕ２＝Ｐｓｑｕ２０とするとき、Ｐｓ０＋Ｐｓｑｕ１０＋Ｐｓｑｕ２０＜０とすることを特徴とする請求項１に記載の流体吐出方法。
【請求項１０】
電磁歪素子により、上記２つの部材を相対移動させることを特徴とする請求項１に記載の流体吐出方法。
【請求項１１】
バリアリブによって周囲を囲まれた独立リブが幾何学的対称に形成された基板に対して、隙間を通して流体を吐出するディスペンサを相対的に移動させながら、蛍光体ペーストを間欠吐出させることにより、上記独立セル内部に順次上記蛍光体ペーストを塗布して蛍光体層を形成するプラズマディスプレイパネルの蛍光体層形成方法であって、
上記バリアリブの頂点と吐出ノズル先端の距離Ｈを１．０ｍｍ以上離した状態で、上記吐出ノズルから上記蛍光体ペーストを飛翔させて塗布することを特徴とする請求項１に記載の流体吐出方法。
【請求項１２】
独立した軸方向駆動装置によって隙間方向に相対移動する２つの部材の２つの対向面が複数セット配置されており、１セットの流体補給装置がこれらの２つの部材の２つの対向面間に流体を分技して供給すると共に、上記流体補給装置と上記相対移動する２つの部材の２つの対向面を繋ぐ流路の途中に流体通路抵抗を可変できる流量補正装置を設けることにより各吐出量を調節することを特徴とする請求項１に記載の流体吐出方法。
【請求項１３】
相対移動する２つの部材の２つの対向面の隙間を振幅ｈ１で変動させながら間欠塗布する塗布工法において、上記振幅ｈ１よりも大きな振幅ｈ２で２つの部材の対向面の隙間を増大させて吐出を遮断後、遮断後の隙間の中心値が、遮断直前の隙間の中心値に徐々に等しくなるように、上記振幅ｈ１で複数回間欠塗布することを特徴とする請求項１に記載の流体吐出方法。
【請求項１４】
塗布開始からｎ−１回目の塗布終了時の時間をＴｎ−１、ｎ回目の塗布開始時の時間をＴｎ、時間間隔ΔＴ＝Ｔｎ−Ｔｎ−１とするとき、上記ΔＴの値を設定することによりｎ回目の１ドット当たりの塗布量を調節することを特徴とする請求項１に記載の流体吐出方法。
【請求項１５】
隙間方向に相対移動する２つの部材と、
この２つの部材で形成される吐出室と、
上記吐出室に流体を供給する流体補給装置と、
上記流体補給装置の上流側に設けられた吸入口と、
上記吐出室と外部を連絡する吐出口で構成される流体吐出装置であって、
上記２つの部材で形成される隙間の変動による圧力変化を利用して吐出口から流体を間欠吐出すると共に、１ドット当たりの吐出量を上記流体補給装置の圧力及び流量特性の設定により調節することを特徴とする流体吐出装置。
【請求項１６】
２つの部材の２つの対向面の隙間の大きさに逆比例し、かつ上記隙間の時間微分に比例して発生する流体圧力を第１次スクイーズ圧力、上記隙間の時間微分に比例し、かつ流体補給装置の内部抵抗に比例して発生する流体圧力を第２次スクイーズ圧力とするとき、上記隙間の最小値或いは平均値をｈ０として、１ドット当たりの間欠吐出量が上記隙間ｈ０に対して概略比例関係にある上記隙間ｈ０の設定範囲を０＜ｈ０＜ｈｘ、間欠吐出量が上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするとき、上記隙間をｈ０＞ｈｘの範囲に設定して上記第２次スクイーズ圧力の作用により間欠吐出することを特徴とする請求項１５に記載の流体吐出装置。
【請求項１７】
２つの部材間の対向面間の隙間の大きさに逆比例し、かつ上記隙間の時間微分に比例して発生する流体圧力を第１次スクイーズ圧力とし、上記隙間の時間微分に比例し、かつ流体補給装置の内部抵抗に比例して発生する流体圧力を第２次スクイーズ圧力とするとき、上記隙間の最小値或いは平均値ｈ０の設定範囲を０＜ｈ０＜ｈｘとし、上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするときには、上記隙間をｈ０≒ｈｘ或いは、０＜ｈ０＜ｈｘの範囲に設定して吐出量を調節することを特徴とする請求項１５に記載の流体吐出装置。
【請求項１８】
独立した軸方向駆動装置によって隙間方向に相対移動する上記２つの部材が複数セット配置されており、１セットの流体補給装置がこれらの２つの部材の対向面間に流体を分技して供給することを特徴とする請求項１５に記載の流体吐出装置。
【請求項１９】
独立した軸方向駆動装置によって隙間方向に相対移動する上記２つの部材が複数セット配置されており、１セットの流体補給装置がこれらの２つの部材に流体を分技して供給すると共に、上記各２つの部材の対向面間の隙間の最小値あるいは平均値をそれぞれｈ０≒ｈｘ近傍あるいは、０＜ｈ０＜ｈｘの範囲に設定して各吐出量を調節することを特徴とする請求項１７に記載の流体吐出装置。
【請求項２０】
上記流体補給装置は、回転数によって流量が可変できるポンプであることを特徴とする請求項１５に記載の流体吐出装置。
【請求項２１】
上記２つの部材の対向面間の上記隙間の最小値あるいは平均値をｈ０とするとき、ｈ０＞０．０５mmであることを特徴とする請求項１５に記載の流体吐出装置。
【請求項２２】
軸を収納するスリーブと、
上記軸及び上記スリーブを収納するハウジングと、
上記スリーブを上記ハウジングに対して相対的に回転させる装置と、
上記軸を上記ハウジングに対して軸方向相対変位を与える軸方向駆動装置と、
上記軸の吐出側端面と上記ハウジングで形成される吐出室と、
上記スリーブと上記ハウジングの相対的な回転を利用して上記吐出室に流体を供給する流体補給装置と、
この吐出室と外部を連絡する流体の吸入口及び吐出口と、
上記吐出室内に流入された上記流体を上記軸方向駆動装置によって上記吐出口側へ圧送する装置とより構成される流体吐出装置において、
上記吐出室の上記隙間の変動による圧力変化を利用して、上記流体補給装置から補給される連続流を間欠流に変換すると共に、１ドット当たりの間欠吐出量を回転数の設定により調節することを特徴とする流体吐出装置。
【請求項２３】
軸とハウジング間に軸方向相対変位を与える軸方向駆動装置と、
上記軸の端面と上記ハウジングで形成される吐出室と、
この吐出室に流体を供給する流体補給装置と、
この吐出室と上記流体補給装置を連絡する流通路と、
この流体補給装置に設けられた吸入口と、
上記吐出室と外部を連絡する吐出口とより構成される流体吐出装置において、
上記吐出室の上記隙間の変動による圧力変化を利用して、上記流体補給装置から補給される連続流を間欠流に変換すると共に、１ドット当たりの間欠吐出量を回転数、あるいは上記流通路から上記吐出口に繋がる区間の上記隙間の設定により調節することを特徴とする流体吐出装置。
【請求項２４】
１セットの上記流体補給装置から分技した流通路を経て複数セットの上記吐出室に流体を供給する構成であることを特徴とする請求項２３に記載の流体吐出装置。
【請求項２５】
隙間方向に２つの部材を相対移動させながら、この隙間に流体補給装置から流体を供給させて、上記隙間を変化させることによる圧力変化を利用して吐出の遮断と開放を制御すると共に、上記隙間の最小値或いは平均値をｈ０として、定常時の吐出量Ｑが上記隙間ｈ０に対して概略比例関係にある上記隙間ｈ０の設定範囲を０＜ｈ０＜ｈｘ、吐出量が上記隙間ｈ０に対して概略一定となる上記隙間ｈ０の設定範囲をｈ０＞ｈｘとするとき、上記隙間をｈ０＞ｈｘの範囲に設定して吐出することを特徴とする流体吐出方法。
【手続補正２】
【補正対象書類名】明細書
【補正対象項目名】００４５
【補正方法】削除
【補正の内容】
【手続補正３】
【補正対象書類名】明細書
【補正対象項目名】００４６
【補正方法】削除
【補正の内容】
【手続補正４】
【補正対象書類名】明細書
【補正対象項目名】００４７
【補正方法】削除
【補正の内容】
【手続補正５】
【補正対象書類名】明細書
【補正対象項目名】００４８
【補正方法】削除
【補正の内容】
【手続補正６】
【補正対象書類名】明細書
【補正対象項目名】００４９
【補正方法】変更
【補正の内容】
【００４９】
本発明の第７態様によれば、独立した軸方向駆動装置によって隙間方向に相対移動する上記２つの部材が複数セット配置されており、１セットの流体補給装置がこれらの２つの部材間に流体を分技して供給することを特徴とする第１の態様に記載の流体吐出方法を提供する。
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】変更
【補正の内容】
【００５１】
本発明の第８態様によれば、基板の塗布対象面が幾何学的対称であることを利用して、吐出ノズルと基板を相対的に走行させながら、１ドット当りの同一吐出量を同一時間間隔を経て周期的に塗布するように間欠吐出することを特徴とする第１の態様に記載の流体吐出方法を提供する。
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】変更
【補正の内容】
【００５３】
本発明の第９態様によれば、流体補給装置により隙間方向に相対移動する２つの部材の対向面に流体を供給し、上記対向する２つの対向面間の隙間をｈ（ｍｍ）、このｈの時間微分をｄｈ／ｄｔ、上記２つの部材間の対向面の外周部の平均半径をｒ０（ｍｍ）、上記隙間と外部とを連通する吐出口開口部の平均半径をｒｉ（ｍｍ）、流体の粘性係数をμ（kgsec/mm2）、上記流体補給装置の流体内部抵抗をＲｓ（kgsec/mm5）、上記２つの部材間の対向面の半径方向の流体抵抗をＲｐ（kgsec/mm5）、上記吐出口の流体抵抗をＲｎ（kgsec/mm5）、上記流体補給装置の最大圧力と補給圧力の和をＰｓ０、間欠吐出の周波数をｆ（１／sec）として、第１次スクイーズ圧力Ｐｓｑｕ１、第２次スクイーズ圧力Ｐｓｑｕ２を
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】変更
【補正の内容】
【００５６】
本発明の第１０態様によれば、電磁歪素子により、上記２つの部材を相対移動させることを特徴とする第１の態様に記載の流体吐出方法を提供する。
【手続補正１３】
【補正対象書類名】明細書
【補正対象項目名】００５７
【補正方法】削除
【補正の内容】
【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６０
【補正方法】変更
【補正の内容】
【００６０】
本発明の第１１態様によれば、バリアリブによって周囲を囲まれた独立リブが幾何学的対称に形成された基板に対して、隙間を通して流体を吐出するディスペンサを相対的に移動させながら、蛍光体ペーストを間欠吐出させることにより、上記独立セル内部に順次上記蛍光体ペーストを塗布して蛍光体層を形成するプラズマディスプレイパネルの蛍光体層形成方法であって、
上記バリアリブの頂点と吐出ノズル先端の距離Ｈを１．０ｍｍ以上離した状態で、上記吐出ノズルから上記蛍光体ペーストを飛翔させて塗布することを特徴とする第１の態様に記載の流体吐出方法を提供する。
【手続補正１７】
【補正対象書類名】明細書
【補正対象項目名】００６１
【補正方法】変更
【補正の内容】
【００６１】
本発明の第１２態様によれば、独立した軸方向駆動装置によって隙間方向に相対移動する２つの部材の２つの対向面が複数セット配置されており、１セットの流体補給装置がこれらの２つの部材の２つの対向面間に流体を分技して供給すると共に、上記流体補給装置と上記相対移動する２つの部材の２つの対向面を繋ぐ流路の途中に流体通路抵抗を可変できる流量補正装置を設けることにより各吐出量を調節することを特徴とする第１の態様に記載の流体吐出方法を提供する。
【手続補正１８】
【補正対象書類名】明細書
【補正対象項目名】００６２
【補正方法】変更
【補正の内容】
【００６２】
本発明の第１３態様によれば、相対移動する２つの部材の２つの対向面の隙間を振幅ｈ１で変動させながら間欠塗布する塗布工法において、上記振幅ｈ１よりも大きな振幅ｈ２で２つの部材の対向面の隙間を増大させて吐出を遮断後、遮断後の隙間の中心値が、遮断直前の隙間の中心値に徐々に等しくなるように、上記振幅ｈ１で複数回間欠塗布することを特徴とする第１の態様に記載の流体吐出方法を提供する。
【手続補正１９】
【補正対象書類名】明細書
【補正対象項目名】００６３
【補正方法】変更
【補正の内容】
【００６３】
本発明の第１４態様によれば、塗布開始からｎ−１回目の塗布終了時の時間をＴｎ−１、ｎ回目の塗布開始時の時間をＴｎ、時間間隔ΔＴ＝Ｔｎ−Ｔｎ−１とするとき、上記ΔＴの値を設定することによりｎ回目の１ドット当たりの塗布量を調節することを特徴とする第１の態様に記載の流体吐出方法を提供する。
【手続補正２０】
【補正対象書類名】明細書
【補正対象項目名】００６４
【補正方法】変更
【補正の内容】
【００６４】
本発明の第１５態様によれば、隙間方向に相対移動する２つの部材と、
この２つの部材で形成される吐出室と、
上記吐出室に流体を供給する流体補給装置と、
上記流体補給装置の上流側に設けられた吸入口と、
上記吐出室と外部を連絡する吐出口で構成される流体吐出装置であって、
上記２つの部材で形成される隙間の変動による圧力変化を利用して吐出口から流体を間欠吐出すると共に、１ドット当たりの吐出量を上記流体補給装置の圧力及び流量特性の設定により調節することを特徴とする流体吐出装置を提供する。
【手続補正２１】
【補正対象書類名】明細書
【補正対象項目名】００６５
【補正方法】変更
【補正の内容】
【００６５】
本発明の第１６態様によれば、２つの部材の２つの対向面の隙間の大きさに逆比例し、かつ上記隙間の時間微分に比例して発生する流体圧力を第１次スクイーズ圧力、上記隙間の時間微分に比例し、かつ流体補給装置の内部抵抗に比例して発生する流体圧力を第２次スクイーズ圧力とするとき、上記隙間の最小値或いは平均値をｈ０として、１ドット当たりの間欠吐出量が上記隙間ｈ０に対して概略比例関係にある上記隙間ｈ０の設定範囲を０＜ｈ０＜ｈｘ、間欠吐出量が上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするとき、上記隙間をｈ０＞ｈｘの範囲に設定して上記第２次スクイーズ圧力の作用により間欠吐出することを特徴とする第１５の態様に記載の流体吐出装置を提供する。
【手続補正２２】
【補正対象書類名】明細書
【補正対象項目名】００６６
【補正方法】変更
【補正の内容】
【００６６】
本発明の第１７態様によれば、２つの部材間の対向面間の隙間の大きさに逆比例し、かつ上記隙間の時間微分に比例して発生する流体圧力を第１次スクイーズ圧力とし、上記隙間の時間微分に比例し、かつ流体補給装置の内部抵抗に比例して発生する流体圧力を第２次スクイーズ圧力とするとき、上記隙間の最小値或いは平均値ｈ０の設定範囲を０＜ｈ０＜ｈｘとし、上記隙間ｈ０に対して概略一定となる上記隙間ｈ０の設定範囲をｈ０＞ｈｘとし、かつ、ｈｘは、０＜ｈ０＜ｈｘの領域におけるｈ０に対する上記１ドット当たりの間欠吐出量の包絡線と、ｈ０＞ｈｘの領域で上記１ドット当たりの間欠吐出量がｈ０に依存しないで概略一定となる部分の値の交点とするときには、上記隙間をｈ０≒ｈｘ或いは、０＜ｈ０＜ｈｘの範囲に設定して吐出量を調節することを特徴とする第１５の態様に記載の流体吐出装置を提供する。
【手続補正２３】
【補正対象書類名】明細書
【補正対象項目名】００６７
【補正方法】変更
【補正の内容】
【００６７】
本発明の第１８態様によれば、独立した軸方向駆動装置によって隙間方向に相対移動する上記２つの部材が複数セット配置されており、１セットの流体補給装置がこれらの２つの部材の対向面間に流体を分技して供給することを特徴とする第１５の態様に記載の流体吐出装置を提供する。
【手続補正２４】
【補正対象書類名】明細書
【補正対象項目名】００６８
【補正方法】変更
【補正の内容】
【００６８】
本発明の第１９態様によれば、独立した軸方向駆動装置によって隙間方向に相対移動する上記２つの部材が複数セット配置されており、１セットの流体補給装置がこれらの２つの部材に流体を分技して供給すると共に、上記各２つの部材の対向面間の隙間の最小値あるいは平均値をそれぞれｈ０≒ｈｘ近傍あるいは、０＜ｈ０＜ｈｘの範囲に設定して各吐出量を調節することを特徴とする第１７の態様に記載の流体吐出装置を提供する。
【手続補正２５】
【補正対象書類名】明細書
【補正対象項目名】００６９
【補正方法】変更
【補正の内容】
【００６９】
本発明の第２０態様によれば、上記流体補給装置は、回転数によって流量が可変できるポンプであることを特徴とする第１５の態様に記載の流体吐出装置を提供する。
【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】変更
【補正の内容】
【００７１】
本発明の第２１態様によれば、上記２つの部材の対向面間の上記隙間の最小値あるいは平均値をｈ０とするとき、ｈ０＞０．０５ｍｍであることを特徴とする第１５の態様に記載の流体吐出装置を提供する。
【手続補正２８】
【補正対象書類名】明細書
【補正対象項目名】００７２
【補正方法】変更
【補正の内容】
【００７２】
本発明の第２２態様によれば、軸を収納するスリーブと、
上記軸及び上記スリーブを収納するハウジングと、
上記スリーブを上記ハウジングに対して相対的に回転させる装置と、
上記軸を上記ハウジングに対して軸方向相対変位を与える軸方向駆動装置と、
上記軸の吐出側端面と上記ハウジングで形成される吐出室と、
上記スリーブと上記ハウジングの相対的な回転を利用して上記吐出室に流体を供給する流体補給装置と、
この吐出室と外部を連絡する流体の吸入口及び吐出口と、
上記吐出室内に流入された上記流体を上記軸方向駆動装置によって上記吐出口側へ圧送する装置とより構成される流体吐出装置において、
上記吐出室の上記隙間の変動による圧力変化を利用して、上記流体補給装置から補給される連続流を間欠流に変換すると共に、１ドット当たりの間欠吐出量を回転数の設定により調節することを特徴とする流体吐出装置を提供する。
【手続補正２９】
【補正対象書類名】明細書
【補正対象項目名】００７３
【補正方法】削除
【補正の内容】
【手続補正３０】
【補正対象書類名】明細書
【補正対象項目名】００７４
【補正方法】変更
【補正の内容】
【００７４】
本発明の第２３態様によれば、軸とハウジング間に軸方向相対変位を与える軸方向駆動装置と、
上記軸の端面と上記ハウジングで形成される吐出室と、
この吐出室に流体を供給する流体補給装置と、
この吐出室と上記流体補給装置を連絡する流通路と、
この流体補給装置に設けられた吸入口と、
上記吐出室と外部を連絡する吐出口とより構成される流体吐出装置において、
上記吐出室の上記隙間の変動による圧力変化を利用して、上記流体補給装置から補給される連続流を間欠流に変換すると共に、１ドット当たりの間欠吐出量を回転数、あるいは上記流通路から上記吐出口に繋がる区間の上記隙間の設定により調節することを特徴とする流体吐出装置を提供する。
【手続補正３１】
【補正対象書類名】明細書
【補正対象項目名】００７５
【補正方法】変更
【補正の内容】
【００７５】
本発明の第２４態様によれば、１セットの上記流体補給装置から分技した流通路を経て複数セットの上記吐出室に流体を供給する構成であることを特徴とする第２３の態様に記載の流体吐出装置を提供する。
【手続補正３２】
【補正対象書類名】明細書
【補正対象項目名】００７６
【補正方法】削除
【補正の内容】
【手続補正３３】
【補正対象書類名】明細書
【補正対象項目名】００７７
【補正方法】削除
【補正の内容】
【手続補正３４】
【補正対象書類名】明細書
【補正対象項目名】００７８
【補正方法】変更
【補正の内容】
【００７８】
本発明の第２５態様によれば、隙間方向に２つの部材を相対移動させながら、この隙間に流体補給装置から流体を供給させて、上記隙間を変化させることによる圧力変化を利用して吐出の遮断と開放を制御すると共に、上記隙間の最小値或いは平均値をｈ０として、定常時の吐出量Ｑが上記隙間ｈ０に対して概略比例関係にある上記隙間ｈ０の設定範囲を０＜ｈ０＜ｈｘ、吐出量が上記隙間ｈ０に対して概略一定となる上記隙間ｈ０の設定範囲をｈ０＞ｈｘとするとき、上記隙間をｈ０＞ｈｘの範囲に設定して吐出することを特徴とする流体吐出方法を提供する。